(57)【要約】  本発明の実施形態に係る通信システム及びその制御方法は、地域または位置情報をネットワーク接続情報に変換する端末装置と、上記ネットワーク接続情報が含まれたデータパケットを生成してネットワークを介して通信を遂行する通信装置と、を有する。本発明の実施形態によれば、端末装置に建物の棟番号、部屋番号、階番号のような地域情報、または棚番号、段番号、製品位置を入力するだけでもデータ衝突が発生しないネットワークが構築できるので、ユーザは便利に事務室／ホームネットワーキングサービスを利用できる。また、地域情報または位置情報を用いてネットワーク接続情報の一括的な入力体系を設けることができるので、別の管理者を必要とせず、通信を安定的に維持することができる。【選択図】図１
2010539781.tif 000002
【特許請求の範囲】
【請求項１】
地域または位置情報をネットワーク接続情報に変換する端末装置と、
前記ネットワーク接続情報が含まれたデータパケットを生成してネットワークを介して通信を遂行する通信装置と、
を有することを特徴とする通信システム。
【請求項２】
前記端末装置は、
入力された前記地域または位置情報を前記ネットワーク接続情報に変換する第１データ処理部と、
前記通信装置に前記ネットワーク接続情報を伝達する第１接続部と、
を有することを特徴とする請求項１に記載の通信システム。
【請求項３】
前記通信装置は、
前記第１接続部から前記ネットワーク接続情報を受け取る第２接続部と、
前記ネットワーク接続情報を解釈する第２データ処理部と、
前記解釈されたネットワーク接続情報に従い、前記データパケットを生成しプロトコルを処理する制御部と、
を有することを特徴とする請求項２に記載の通信システム。
【請求項４】
前記ネットワーク接続情報は、チャンネル情報及びＰＡＮ ＩＤを含むことを特徴とする請求項１に記載の通信システム。
【請求項５】
前記地域または位置情報は、建物の棟番号、階番号、部屋番号や棚番号、段番号、製品位置を表現する数値を含むことを特徴とする請求項１に記載の通信システム。
【請求項６】
前記端末装置は、前記建物の棟番号、階番号、及び部屋番号や、棚番号、段番号、製品位置を表現する数値を前記ＰＡＮ ＩＤ及び前記チャンネル情報に変換することを特徴とする請求項５に記載の通信システム。
【請求項７】
前記端末装置は、前記棟番号及び部屋番号を表現する数値を２バイトのＰＡＮ ＩＤに変換し、前記階番号を表現する数値を１バイトのチャンネル情報に変換することを特徴とする請求項６に記載の通信システム。
【請求項８】
前記端末装置は、
前記地域または位置情報の入力を受けるためのユーザメニューが表示されるディスプレイと、
前記地域または位置情報の入力を受けて前記第１データ処理部に伝達するキー入力部と、
を有することを特徴とする請求項２に記載の通信システム。
【請求項９】
前記第１接続部及び第２接続部は、ＮＦＣ、ＲＦＩＤ、無線ＬＡＮ、ＵＷＢ、ブルートゥース、ＷｉＭａｘ、ＤＳＲＣのうち、少なくとも１つの無線通信方式を用いて前記ネットワーク接続情報を送受信することを特徴とする請求項２に記載の通信システム。
【請求項１０】
前記第１接続部及び第２接続部は、ＵＳＢ、ＵＡＲＴ、ＳＰＩ、Ｉ２Ｃのうち、少なくとも１つの有線通信方式を用いて前記ネットワーク接続情報を送受信することを特徴とする請求項２に記載の通信システム。
【請求項１１】
前記通信装置は、
前記ネットワークを介してＲＦ信号を送受信するＲＦ受信部及びＲＦ送信部と、
前記ＲＦ受信部及びＲＦ送信部に発振周波数信号を提供する位相同期回路と、
前記ネットワークの受信信号の強さを判別して前記ＲＦ送信部の送信信号の電力量を調整する電力制御回路と、
前記ネットワーク接続情報に従ってＭＡＣレイヤのデータ処理を遂行するＭＡＣ処理部と、
を有することを特徴とする請求項２に記載の通信システム。
【請求項１２】
前記通信装置は、
光センサ部、湿度センサ部、温度センサ部、照明器、加湿器、除湿器、冷房器、暖房器のうち、少なくとも１つの装置と接続され、前記ネットワークに接続されて前記装置の動作を制御することを特徴とする請求項１に記載の通信システム。
【請求項１３】
前記ネットワークは、ジグビー、無線ＬＡＮ、ＵＷＢのうち、少なくとも１つを含むことを特徴とする請求項１に記載の通信システム。
【請求項１４】
端末機に入力された地域または位置情報をネットワーク接続情報に変換するステップと、
前記ネットワーク接続情報をネットワークに接続された通信装置に送るステップと、
前記通信装置が前記ネットワーク接続情報が含まれたデータパケットを生成して前記ネットワークを介して通信を遂行するステップと、
を有することを特徴とする通信システムの制御方法。
【請求項１５】
前記地域または位置情報は、建物の棟番号、階番号、部屋番号や棚番号、段番号、及び製品位置を表現する数値を含むことを特徴とする請求項１４に記載の通信システムの制御方法。
【請求項１６】
前記ネットワーク接続情報は、チャンネル情報及びＰＡＮ ＩＤを含むことを特徴とする請求項１４に記載の通信システムの制御方法。
【請求項１７】
前記ネットワークは、ジグビー、無線ＬＡＮ、ＵＷＢのうち、少なくとも１つを含むことを特徴とする請求項１４に記載の通信システムの制御方法。
【請求項１８】
前記ネットワーク接続情報を前記ネットワークに接続された通信装置に送るステップは、ＮＦＣ、ＲＦＩＤ、無線ＬＡＮ、ＵＷＢ、ブルートゥース、ＷｉＭａｘ、ＤＳＲＣのうち、少なくとも１つの無線通信方式を用いて前記通信装置に前記ネットワーク接続情報を送るステップを有することを特徴とする請求項１４に記載の通信システムの制御方法。
【請求項１９】
前記ネットワーク接続情報を前記ネットワークに接続された通信装置に送るステップは、ＵＳＢ、ＵＡＲＴ、ＳＰＩ、Ｉ２Ｃのうち、少なくとも１つの有線通信方式を用いて前記通信装置に前記ネットワーク接続情報を送るステップを有することを特徴とする請求項１４に記載の通信システムの制御方法。
【発明の詳細な説明】
【技術分野】
【０００１】
本発明は、通信システム及び通信制御方法に関するものである。
【背景技術】
【０００２】
通信技術が発達するにつれて、オフィス空間や住居空間、製品売り場などにジグビー（ZigBee）、ＷＬＡＮ（ワイファイ（ＷｉＦｉ））、ＵＷＢなどの無線パーソナルエリアネットワーク（Wireless Personal Area Network；ＷＰＡＮ）を構築して各種機器や製品の出入を制御及び管理する場合が増加している。
【０００３】
ＷＰＡＮ技術は、多様なネットワークトポロジを形成して多数個の機器を相互接続して管理及び使用することができ、一般に消費電力が少ないという利点があるので、広範囲で利用されている。
【０００４】
ＷＰＡＮ技術を用いて個人ネットワークを構成する場合、通信単位エリアの識別のための固有情報が必要である。例えば、ジグビーを用いて個人ネットワークを構成する場合、通信単位エリアに従う固有のチャンネル番号及びパーソナルエリアネットワーク（Personal Area Network；ＰＡＮ）ＩＤのようなネットワーク情報をジグビー装置に入力して設定しなければならない。
【０００５】
ところが、ネットワーク情報の入力及び設定過程は専門的な性格を帯びるので、一般のユーザがネットワーク情報を直接入力することは容易でない。
【０００６】
また、ビルやアパートなどの限定された領域内で複数個のネットワークを構成する場合、一括入力体系が設けられなくて、ユーザが全てのネットワーク情報を一つ一つ入力しなければならないという困難性がある。
【０００７】
そして、個人ネットワークの場合、ネットワーク情報が体系的に設定されるのでないので、ネットワーク間に衝突が起こることが頻繁に発生する。
【発明の概要】
【発明が解決しようとする課題】
【０００８】
本発明の実施形態は、ジグビー（ZigBee）、ＷＬＡＮ（ワイファイ（ＷｉＦｉ））、ＵＷＢなどの無線パーソナルエリアネットワーク（Wireless Personal Area Network；ＷＰＡＮ）の構築を容易にし、ネットワークを効率良く管理できる通信システム及びその制御方法を提供する。
【課題を解決するための手段】
【０００９】
本発明の実施形態に従う通信システムは、地域または位置情報をネットワーク接続情報に変換する端末装置と、上記ネットワーク接続情報が含まれたデータパケットを生成してネットワークを介して通信を遂行する通信装置と、を有する。
【００１０】
本発明の実施形態に従う通信システムの制御方法は、端末機に入力された地域または位置情報をネットワーク接続情報に変換するステップと、上記ネットワーク接続情報を上記ネットワークに接続された通信装置に送るステップと、上記通信装置が上記ネットワーク接続情報が含まれたデータパケットを生成して上記ネットワークを介して通信を遂行するステップと、を有する。
【発明の効果】
【００１１】
本発明の実施形態によれば、ジグビー（ZigBee）、ＷＬＡＮ（ワイファイ（ＷｉＦｉ））、ＵＷＢなどの無線パーソナルエリアネットワーク（Wireless Personal Area Network；ＷＰＡＮ）の構築を容易にし、ネットワークを効率良く管理できる。
【図面の簡単な説明】
【００１２】
【図１】本発明の第１実施形態に係る通信システムのブロック図である。
【図２】本発明の第１実施形態に係る通信システムの端末装置が提供するユーザメニューを例示する画面を示した図である。
【図３】本発明の第１実施形態に係る通信システムのデータプロトコルスタック構造図である。
【図４】本発明の第１実施形態に係る通信システムが処理するデータパケットの形態を概略的に示すデータ構造図である。
【図５】本発明の第２実施形態に係る通信システムのブロック図である。
【図６】本発明の第１実施形態に係る通信システムのネットワークトポロジ（Topology）を例示した図である。
【図７】本発明の実施形態に係る通信装置が外部装置と接続される形態を例示した図である。
【発明を実施するための形態】
【００１３】
添付された図面を参照して本発明に係る通信システムについて詳細に説明する。
【００１４】
図１は、本発明の第１実施形態に係る通信システム１００のブロック図である。
【００１５】
図１に示すように、第１実施形態に係る通信システム１００は、入力された地域情報を通信装置１４０のネットワーク接続情報に変換する端末装置１２０と、端末装置１２０からネットワーク情報の入力を受け取る通信装置１４０と、を有する。ここで、通信装置１４０は、ジグビー（ZigBee）、ＷＬＡＮ（ワイファイ（ＷｉＦｉ））、ＵＷＢのうち、いずれか１つの通信装置が適用されうる。以下の説明では、通信装置１４０がジグビー方式により通信を遂行する場合を例示する。
【００１６】
端末装置１２０は、ユーザ入力のためのキー入力部１２２と、ディスプレイ部１２８と、通信装置１４０と接続される第１有線接続部１２６と、キー入力部１２２を通じて入力された情報をネットワーク接続情報に変換して第１有線接続部１２６を通じてネットワーク接続情報を送信する第１データ処理部１２４と、を有する。
【００１７】
端末装置１２０の第１データ処理部１２４は、地域情報の入力を受けるためのユーザメニューを構成してディスプレイ部１２８に表示する。図２は、本発明の第１実施形態に係る通信システム１００の端末装置１２０が提供するユーザメニューを例示する画面を示した図である。通信システム１００は施設内の環境システムを制御できるネットワーキングシステムであって、オフィステル、事務用ビル、アパート、一戸建てなど、多様な施設物に設置可能であるが、第１実施形態ではアパート団地に設置された場合を例示する。ここに、地域情報はアパートの棟番号、階番号、部屋番号を表現する数値を含み、図２に例示したように、一般的なアパート団地の表記型式で入力できる。図２の例示のうち、「３０７」棟は「第３団地の第０７棟」を意味し、「２００１」号は「２０階の０１号室」を意味する。
【００１８】
また、端末装置１２０の第１データ処理部１２４は、キー入力部１２２を通じて入力された地域情報をネットワーク接続情報に変換する。第１データ処理部１２４は、ネットワーク接続情報を通信装置１４０で処理可能な情報にエンコーディングする。第１データ処理部１２４は、ネットワーク接続情報を第１有線接続部１２６を通じて通信装置１４０に送信する。
【００１９】
端末装置１２０から提供されるネットワーク接続情報は、通信装置１４０がネットワークに参加するための情報を含む。
【００２０】
例えば、通信装置１４０がジグビーネットワークを構築する場合、ネットワーク接続情報はチャンネル情報及びパーソナルエリアネットワーク（Personal Area Network；ＰＡＮ）ＩＤを含む。ジグビーチャンネルの周波数帯域は約２．４０５ＧＨｚから２．８ＧＨｚであり、１６個のチャンネルに区分される。ところが、近接した通信装置が隣接したチャンネルに割り当てられたネットワーク接続情報または同一チャンネルに割り当てられたネットワーク接続情報を有する場合、干渉現象を起こすことがある。したがって、端末装置１２０の第１データ処理部１２４は地域情報が有する特性を反映してネットワーク接続情報を生成することによって、近接した通信装置間のデータ衝突を回避できる。
【００２１】
近接した通信装置間のデータ衝突を回避するために、第１データ処理部１２４はアパート団地の地域情報が有する表記体系をそのままネットワーク接続情報に反映できる。即ち、アパートの棟番号及び部屋番号を表現する数値をＰＡＮ ＩＤに変換し、階番号を表現する数値をチャンネル情報に変換できる。
【００２２】
この場合、第１データ処理部１２４は、アパートの棟番号と部屋番号を表現する数値をＰＡＮ ＩＤに反映し、階番号を表現する数値をチャンネル情報に反映する。ここで、ＰＡＮ ＩＤは合計２バイトで構成できる。ここに、住所が「３０７棟２００１号」の場合、棟番号を表現する数値を意味する“０７”は最初の１バイトを構成し、部屋番号を表現する数値を意味する“０１”は残りの１バイトを構成する。したがって、ＰＡＮ ＩＤは“０ｘ０７０１”のようなデータに変換できる。
【００２３】
そして、チャンネル情報は１バイトで構成できる。ジグビーチャンネルは１１チャンネルから２６チャンネルまで１６個のチャンネルが存在し、隣り合う階の場合、各々異なるチャンネルを割り当てなければデータ衝突が防止できない。したがって、階番号を表現する数値を全チャンネルの個数である“１６”で割った残りの数値が“０”である場合、チャンネル情報を“２６”に設定する。そして、階番号を表現する数値を“１６”で割った残りの数値が“０”でない場合、残りの数値に“１０”を加算した数値がチャンネル情報に設定される。
【００２４】
これは、次のようなプログラムで表現できる。
【００２５】
＜ネットワーク接続情報変換プログラム＞
“ｉｆ 階番号を表現する数値％１６==０、ＣＨ＝２６
Ｅｌｓｅ ＣＨ＝階番号を表現する数値％１６＋１０”
【００２６】
このような変換体系によれば、例えばアパートが４０階である場合、１階から１６階は各々“１１”から“２６”のチャンネル（ＣＨ）が順次に割り当てられ、１７階から３２階まで、また“１１”から“２６”のチャンネルが順次に割り当てられる。以後、３３階から４０階までは“１１”から“１８”のチャンネルが割り当てられる。即ち、“１１”から“２６”までの１６個ジグビーチャンネルがループ形態で階数に適用される。したがって、各家庭に構成されたネットワークは階別に設定されたネットワーク間で干渉現象を起こさないようになる。
【００２７】
以上、説明した通り、アパート団地の地域情報が有する表記体系がそのままネットワーク接続情報に反映されるので、別途の割り当て体系を設ける必要がなくなる。また、ユーザは端末装置１２０に住所を入力するだけで容易にネットワークを構成できる。
【００２８】
一方、製品売り場でネットワークを構築する場合、第１データ処理部１２４は売り場に陳列される製品の位置情報をそのままネットワーク接続情報に反映することが可能である。即ち、製品が陳列されたエリア、棚の段数、配列された順序などをＰＡＮ ＩＤ及びチャンネル情報に変換できる。
【００２９】
ここで、ジグビー通信方式でない、ＷＬＡＮ（ＷｉＦｉ）、ＵＷＢなどの他の通信方式を用いて無線パーソナルエリアネットワーク（Wireless Personal Area Network；ＷＰＡＮ）を構築する場合、端末装置１２０の第１データ処理部１２４は地域情報が有する特性に従い、該当通信方式のネットワーク構成のためのネットワーク接続情報を生成する。
【００３０】
第１データ処理部１２４は、地域または位置情報に従って生成されたネットワーク接続情報を第１有線接続部１２６を通じて通信装置１４０の第２有線接続部１４２に伝達する。
【００３１】
第１有線接続部１２６と第２有線接続部１４２は、有線通信方式を用いてネットワーク接続情報を送受信できる。第１有線接続部１２６と第２有線接続部１４２との間の有線通信のための技術には、ユニバーサルシリアルバス（Universal Serial Bus；ＵＳＢ）、汎用非同期送受信回路（Universal Asynchronous Receiver/Transmitter；ＵＡＲＴ）などが利用できる。ＵＳＢ方式を用いる場合、一般的な直列ポート通信より送受信速度が速く、接続が便利で、別途の電源が必要でないというなどの長所を有する。また、ＵＡＲＴ方式はデータ送受信インターフェースを制御するマイクロチップであって、ＲＳ−２３２Ｃ ＤＴＥインターフェースを提供する。
【００３２】
このような構成を含む端末装置１２０は、ネットワーク接続情報を生成する専用端末機、またはこのような機能が搭載された移動通信端末機など、多様な形態で具現可能で、本実施形態では専用端末機とする。
【００３３】
通信装置１４０は、端末装置１２０との通信のための第２有線接続部１４２及び第２データ処理部１４９と、ネットワーク接続のための無線信号を処理するＭＡＣ処理部１４３、電力制御回路１４４、位相同期回路１４５、ＲＦ受信部１４６、ＲＦ送信部１４７、アンテナ１４８、及びこれらを制御する制御部１４１を有する。
【００３４】
通信装置１４０は、アパートの各部屋番号を単位とするネットワークのノードを構成し、機能的な差に従いフル機能デバイス（Full Function Device；ＦＦＤ）モジュール、限定機能デバイス（Reduced Function Device；ＲＦＤ）モジュール、またはＰＡＮコーディネータ（Personal Area Network coordinator）として動作する。通信装置１４０は、ルーティング機能を遂行する多数のＦＦＤモジュール、照明器、加湿器、除湿器、冷房器、暖房器などの機器を制御するＲＦＤモジュール、これらのモジュールを制御する１つのＰＡＮコーディネータなどにより具備できる。ここで、ＦＦＤモジュールは、ネットワーク初期化、ノード管理、ノード情報格納などの機能を遂行して、ＦＦＤモジュールまたはＲＦＤモジュール全てと通信可能である。ネットワークが構成できるようにするＦＦＤモジュールをＰＡＮコーディネータモジュールという。一方、ＲＦＤモジュールはコーディネータ機能が遂行できないジグビーモジュールであって、ＦＦＤモジュールのコーディネート対象となり、ＦＦＤモジュールのみと通信を遂行することができる。
【００３５】
通信装置１４０は、制御部１４１に搭載されたプログラムの種類によって、ＲＦＤモジュール、ＦＦＤモジュール、またはＰＡＮコーディネータモジュールとして動作できる。
【００３６】
図３は、第１実施形態に係る通信システム１００で送受信されるデータの領域を例示するプロトコルスタック構造図であって、ジグビーネットワークを用いる場合のプロトコルスタック構造を例示している。
【００３７】
図３に示すように、ジグビープロトコルスタックは、大別して物理（Physical；ＰＨＹ）レイヤ（Layer）（Ｓ５）、メディアアクセス制御（Medium Access Control；ＭＡＣ）レイヤ（Ｓ４）、ネットワーク／セキュリティ（Network/security）レイヤ（Ｓ３）、アプリケーションフレームワーク（Application framework）レイヤ（以下、「フレームワークレイヤ」という）（Ｓ２）及びアプリケーション／プロファイル（Application/Profiles）レイヤ（Ｓ１）からなるが、ＰＨＹレイヤ（Ｓ５）とＭＡＣレイヤ（Ｓ４）はＩＥＥＥ標準（Standard）に基づき、ネットワークレイヤ（Ｓ３）とフレームワークレイヤ（Ｓ２）はジグビーアライアンス（Alliance）の標準に基づき、アプリケーションレイヤ（Ｓ１）はデータベース管理及び制御情報生成と関連したアプリケーションプログラムに基づく。
【００３８】
ここで、通信装置１４０は、制御部１４１に搭載されたプログラムの種類、即ちネットワークレイヤ（Ｓ３）、及びフレームワークレイヤ（Ｓ２）のデータを処理するプログラムの種類によって、ＲＦＤモジュール、ＦＦＤモジュール、またはＰＡＮコーディネータモジュールとして動作できる。
【００３９】
ＲＦ受信部１４６、ＲＦ送信部１４７、位相同期回路１４５、及び電力制御回路１４４は、ＰＨＹレイヤ（Ｓ５）に該当する動作を処理する構成部であって、ＲＦ通信構造とネットワークトポロジを決定する。
【００４０】
ＲＦ受信部１４６とＲＦ送信部１４７は、直接シーケンススペクトラム拡散（Direct Sequence Spread Spectrum；ＤＳＳＳ）を用いて、２．４ＧＨｚ帯域の場合、３２ＰＮコード長さのオフセット４相位相変調（Offset-Quadrature Phase Shift Key；ＱＰＳＫ）変復調方式を使用してＲＦ信号とディジタル信号とを相互変換する。
【００４１】
位相同期回路１４５は、ＲＦ受信部１４６とＲＦ送信部１４７に発振周波数信号を提供し、電力制御回路１４４は受信信号の強さを判別して送信電力量を調整する。
【００４２】
メディアアクセス制御（Medium Access Control；ＭＡＣ）処理部１４３は、転送されたデータフレーム構造を解釈してフレームを承認し、エラーを感知して（Error Detection、ＣＲＣまたはチェックサム（Check sum）を通じて感知する）再転送するか否かを決定し、パケットルーティングを処理する。
【００４３】
制御部１４１は、残りのＭＡＣレイヤ（ソフトウェア−ＭＡＣ（Software-MAC））、ネットワークレイヤ（Ｓ３）の機能、フレームワークレイヤ（Ｓ２）の機能を遂行してネットワークトポロジを構成し、アプリケーションレイヤ（Ｓ１）の機能を遂行してデータベースを管理し制御情報を生成する。
【００４４】
図４は、第１実施形態に係る通信システム１００が処理するデータパケットの形態を概略的に示すデータ構造図であって、ジグビー通信を用いる場合を例示したものである。
【００４５】
通信装置１４０の制御部１４１が生成するジグビー通信方式のデータパケットは、プリアンブル（Ｄ１）、パケット開始デリミッタ（Start of Packet Delimiter；ＳＰＤ）（Ｄ２）、ＰＨＹヘッダ（Ｄ３）、物理サービスデータユニット（PHY Service Data Unit；ＰＳＤＵ）（Ｄ４）などを含む。プリアンブル（または、「ビーコン」が使用できる）（Ｄ１）は、転送タイミングを同期化するためにジグビーモジュール間で解釈できる一連のパルス信号である。そして、ＳＰＤ（Ｄ２）は実際にパケットデータが始まったことを相手ジグビーモジュールに知らせてくれて、ＰＨＹヘッダの解釈地点を表示し、ＰＨＹヘッダ（Ｄ３）はＰＨＹレイヤ（物理レイヤ）（Ｓ５）の解釈情報を含んでおり、ＰＳＤＵ（Ｄ４）はルーティング情報と共にアプリケーションデータを含む。
【００４６】
第２有線接続部１４２は、第１有線接続部１２６からネットワーク接続情報を受け取り、第２データ処理部１４９はネットワーク接続情報をデコーディングしてチャンネル情報及びＰＡＮ ＩＤを抽出する。
【００４７】
制御部１４１は、第２データ処理部１４９から抽出されたＰＡＮ ＩＤとチャンネル情報をＰＳＤＵ（Ｄ４）区間に乗せてデータパケットを完成する。制御部１４１は完成したデータパケットを各ノードを構成する他の通信装置に送信してネットワークに参加できる。
【００４８】
また、制御部１４１は、制御対象機器、例えば、照明器、加湿器、除湿器、冷房器、暖房器などを制御できるようにプログラミングできる。
【００４９】
一方、前述した説明では、ジグビー通信方式を用いてＷＰＡＮを構成する場合に使われるパケットデータを例示しているが、ＷＬＡＮ（ＷｉＦｉ）、ＵＷＢなどの他の通信方式を用いてＷＰＡＮを構築する場合、通信装置１４０の制御部１４１は該当プロトコル処理のための制御を遂行することができる。
【００５０】
図５は、本発明の第２実施形態に係る通信システム２００のブロック図である。
【００５１】
図５に示すように、第２実施形態に係る通信システム２００は、地域情報をネットワーク接続情報に変換する端末装置２２０と、端末装置２２０が提供するネットワーク接続情報を用いてネットワークを介してデータを送受信する通信装置２４０と、を有する。
【００５２】
端末装置２２０は、キー入力部２２２及びディスプレイ部２２８、キー入力部２２２に入力された地域情報を変換してネットワーク接続情報を生成する第１データ処理部２２４、及び第１データ処理部２２４が生成したネットワーク接続情報を無線送信する第１無線接続部２２６を有する。
【００５３】
通信装置２４０は、ネットワーク接続情報の受信及び処理のための第２無線接続部２４２及び第２データ処理部２４９、ジグビー通信のためのＭＡＣ処理部２４３、電力制御回路２４４、位相同期回路２４５、ＲＦ受信部２４６、ＲＦ送信部２４７、アンテナ２４８、及びこれらを制御する制御部２４１を有する。
【００５４】
第２実施形態に係る通信システム２００が第１実施形態と異なる点は、端末装置２２０と通信装置２４０が無線接続部２２６、２４２を備え、近距離無線ネットワークを介してネットワーク接続情報を転送する点である。
【００５５】
説明の便宜のために、第１実施形態と重複する説明は省略する。
【００５６】
第１無線接続部２２６と第２無線接続部２４２は、近距離通信（Near Field Communication；ＮＦＣ）、無線ＩＣタグ（Radio Frequency Identification；ＲＦＩＤ）、Ｗｉ−Ｆｉ（無線ＬＡＮ）、ウルトラワイドバンド（Ultra Wide Band；ＵＷＢ）、ブルートゥース（Bluetooth（登録商標））、ワイマックス（World interoperability for Microwave access；ＷｉＭａｘ（登録商標））、専用狭域通信（Dedicated Short Range Communication；ＤＳＲＣ）のような近距離無線通信方式を用いてネットワーク接続情報を送受信できる。
【００５７】
第１無線接続部２２６と第２無線接続部２４２が近距離無線通信方式を用いてネットワーク接続情報を送受信する場合、ユーザは端末装置２２０にアパート地域情報を入力し、端末装置２２０をＰＡＮコーディネータとして動作する通信装置２４０に近接させることによって、ジグビーホームネットワークを稼働させることができる。
【００５８】
図６は、本発明の実施形態に係る通信装置が構成できるネットワークトポロジ（Topology）を例示したものである。ここで、「Ｆ」と示されたジグビー装置は、フル機能デバイス（Full Function Device；ＦＦＤ）モジュールを意味し、「Ｒ」と示されたジグビー装置は限定機能デバイス（Reduced Function Device；ＲＦＤ）モジュールを意味し、「Ｐ」と示されたジグビー装置はＰＡＮコーディネータ（Personal Area Network coordinator）を意味する。
【００５９】
（ａ）図面は星（Star）型ネットワークを例示したものであって、ＰＡＮコーディネータを中心にして各ジグビー装置が接続されている。（ｂ）図面はクラスタツリー（Cluster Tree）型ネットワークを例示したものであり、（ｃ）図面はメッシュ（Mesh）型ネットワークを例示したものである。
【００６０】
図６に示すように、本発明の実施形態に従って、端末装置１２０、２２０からネットワーク接続情報の入力を受けた通信装置１４０、２４０は多様な形態の通信システムを構成できる。
【００６１】
図７は、本発明の実施形態に係る通信装置が外部装置と接続される形態を例示したものである。
【００６２】
アパートの各部屋番号をなす家庭内に、多数の通信装置１４０、２４０が配置されてホームネットワークをなし、通信装置１４０、２４０は、光センサ部３１０、湿度センサ部３２０、温度センサ部３３０、照明器３１５、加湿／除湿器３２５、冷／暖房器３３５などの外部装置と接続される。
【００６３】
ホームネットワークを構成した多数の通信装置１４０、２４０は、光センサ部３１０と照明器３１５、湿度センサ部３２０と加湿／除湿器３２５、または温度センサ部３３０と冷／暖房器３３５と一緒に接続されてもよく、各センシング情報に従い、照明器３１５、加湿／除湿器３２５、冷／暖房器３３５の動作を制御できる。
【００６４】
例えば、照明器３１５は一般的な建物に設置される蛍光灯であることがあり、通信装置１４０、２４０の制御部１４１、２４１は、光センサ部３１０の照度センシング情報に従って照明器３１５に備えられたアクチュエータ（actuator）、リレイシステムのような駆動回路を制御できる。光センサ部３１０は、建物内の照度変化を感知して照度変化情報を生成するが、例えばフォトダイオード、フォトトランジスタ、光導電素子、焦電素子などが利用できる。
【００６５】
以上、実施形態を中心として説明したが、これは単に例示であり、本発明を限定するのでなく、本発明が属する分野の通常の知識を有する者であれば、本発明の本質的な特性から外れない範囲で以上に例示されていない種々の変形及び応用が可能であることが分かる。例えば、本発明の実施形態で具体的に示された各構成要素は変形して実施することができる。そして、このような変形及び応用に関連した差異点は添付された請求範囲で規定する本発明の範囲に含まれるものと解釈されるべきである。
【産業上の利用可能性】
【００６６】
無線通信ネットワーク技術に適用可能である。
【図１】
2010539781.tif 000003
【図２】
2010539781.tif 000004
【図３】
2010539781.tif 000005
【図４】
2010539781.tif 000006
【図５】
2010539781.tif 000007
【図６】
2010539781.tif 000008
【図７】
2010539781.tif 000009
【国際調査報告】
2010539781.tif 000010
2010539781.tif 000011